(57)【特許請求の範囲】
【請求項１】
第１の通信条件及びその第１の通信条件を移動通信端末（３０）に設定するタイミングを示すＰａｃｋｅｔ  Ｔｉｍｅｓｌｏｔ  Ｒｅｃｏｎｆｉｇｕｒｅメッセージと、前記第１の通信条件と異なる第２の通信条件を示す装置設定用メッセージを生成する実行部（１１）と、
前記移動通信端末に対して前記Ｐａｃｋｅｔ  Ｔｉｍｅｓｌｏｔ  Ｒｅｃｏｎｆｉｇｕｒｅメッセージを送信するとともに、前記Ｐａｃｋｅｔ  Ｔｉｍｅｓｌｏｔ  Ｒｅｃｏｎｆｉｇｕｒｅメッセージに示される前記第１の通信条件を前記移動通信端末に設定するタイミングで、前記装置設定用メッセージに示される前記第２の通信条件を自身に前記移動通信端末の前記第１の通信条件の設定と同時に設定し、前記第２の通信条件に基づいて前記移動通信端末との通信を行う処理部（１２）と、
前記第１の通信条件で動作する前記移動通信端末と前記第２の通信条件で動作する前記処理部との通信試験の合否を判定する判定部（１５）と、
を備え、
前記実行部は、前記移動通信端末及び前記処理部に共通の通信条件に基づいて前記移動通信端末と前記処理部との間で通信が確立されている状態で、前記処理部に前記Ｐａｃｋｅｔ  Ｔｉｍｅｓｌｏｔ  Ｒｅｃｏｎｆｉｇｕｒｅメッセージ及び前記装置設定用メッセージを送信することを特徴とする移動通信端末試験装置。
【請求項２】
前記タイミングは、前記移動通信端末及び前記処理部に共通の通信条件に基づいて前記移動通信端末と前記処理部との間で通信が確立されている間の所定タイミングであることを特徴とする請求項１に記載の移動通信端末試験装置。
【請求項３】
第１の通信条件及びその第１の通信条件を移動通信端末（３０）に設定するタイミングを示すＰａｃｋｅｔ  Ｔｉｍｅｓｌｏｔ  Ｒｅｃｏｎｆｉｇｕｒｅメッセージと、前記第１の通信条件と異なる第２の通信条件を示す装置設定用メッセージを実行部（１１）により生成する第１のステップと、
前記移動通信端末に対して前記Ｐａｃｋｅｔ  Ｔｉｍｅｓｌｏｔ  Ｒｅｃｏｎｆｉｇｕｒｅメッセージを送信するとともに、前記Ｐａｃｋｅｔ  Ｔｉｍｅｓｌｏｔ  Ｒｅｃｏｎｆｉｇｕｒｅメッセージに示される前記第１の通信条件を前記移動通信端末に設定するタイミングで、前記装置設定用メッセージに示される前記第２の通信条件を処理部（１２）により自身に前記移動通信端末の前記第１の通信条件の設定と同時に設定し、前記第２の通信条件に基づいて前記移動通信端末との通信を行う第２のステップと、
前記第１の通信条件で動作する前記移動通信端末と前記第２の通信条件で動作する前記処理部との通信試験の合否を判定部（１５）により判定する第３のステップと、
を有し、
前記第１のステップと前記第２のステップとの間に、前記移動通信端末及び前記処理部に共通の通信条件に基づいて前記移動通信端末と前記処理部との間で通信が確立されている状態で、前記実行部から前記処理部に前記Ｐａｃｋｅｔ  Ｔｉｍｅｓｌｏｔ  Ｒｅｃｏｎｆｉｇｕｒｅメッセージ及び前記装置設定用メッセージを送信する第４のステップを有することを特徴とする移動通信端末試験方法。
【請求項４】
前記タイミングは、前記移動通信端末及び前記処理部に共通の通信条件に基づいて前記移動通信端末と前記処理部との間で通信が確立されている間の所定タイミングであることを特徴とする請求項３に記載の移動通信端末試験方法。
【発明の詳細な説明】
【技術分野】
【０００１】
本発明は、試験対象の移動通信端末に対して通信試験を行う移動通信端末試験装置及び移動通信端末試験方法に関する。
【背景技術】
【０００２】
携帯電話機やモバイル機器などの移動通信端末の開発では、開発中の移動通信端末が通信規格に従って基地局と正常に通信を行うことができるか否かを試験するため、基地局をシミュレートする移動通信端末試験装置が用いられている。移動通信端末試験装置は試験シナリオを予め記憶しており、この試験シナリオには、移動通信端末試験装置の動作シーケンスや通信シーケンスなどが記述されている。このような移動通信端末試験装置は、試験シナリオに基づいて疑似基地局として動作し、試験対象の移動通信端末に対して通信試験を行う。
【０００３】
通常の通信試験において、移動通信端末試験装置は、周波数やタイムスロットなどの通信条件及びその通信条件を移動通信端末に設定するタイミングなどを示すメッセージを移動通信端末に送信するとともに、そのメッセージに示されたタイミングでメッセージの通信条件に移動通信端末試験装置の装置パラメータを切り替える。また、移動通信端末は、移動通信端末試験装置からメッセージを受け取り、そのメッセージに示されたタイミング、すなわち前述の装置パラメータが切り替えられるタイミングで、メッセージに示された通信条件に端末パラメータを切り替える。なお、この切り替えが移動通信端末試験装置及び移動通信端末で同時に行われない場合には、移動通信端末試験装置と移動通信端末との間で確立されている通信が途切れることになる。
【先行技術文献】
【特許文献】
【０００４】
【特許文献１】特開２０１４−６３３２３号公報
【発明の概要】
【発明が解決しようとする課題】
【０００５】
しかしながら、前述の通常の通信試験、すなわち正常系の通信試験では、通信条件（通信に係る設定内容）が移動通信端末試験装置と移動通信端末の両方に共通となるため、移動通信端末試験装置と移動通信端末との間で通信条件は一致することになる。このため、準正常系の通信試験、すなわち通信条件が移動通信端末試験装置と移動通信端末との間で異なる場合の通信試験を行うことができない。準正常系の通信試験とは、通信条件が移動通信端末試験装置と移動通信端末との間で異なる場合に、その違いに対応する動作が正常に行われるか否かを確認する試験である。
【０００６】
本発明は上記問題を解決するものであり、試験対象の移動通信端末に対して準正常系の通信試験を行うことができる移動通信端末試験装置及び移動通信端末試験方法を提供することを目的とする。
【課題を解決するための手段】
【０００７】
請求項１に記載の移動通信端末試験装置は、第１の通信条件及びその第１の通信条件を移動通信端末（３０）に設定するタイミングを示すＰａｃｋｅｔ  Ｔｉｍｅｓｌｏｔ  Ｒｅｃｏｎｆｉｇｕｒｅメッセージと、前記第１の通信条件と異なる第２の通信条件を示す装置設定用メッセージを生成する実行部（１１）と、前記移動通信端末に対して前記Ｐａｃｋｅｔ  Ｔｉｍｅｓｌｏｔ  Ｒｅｃｏｎｆｉｇｕｒｅメッセージを送信するとともに、前記Ｐａｃｋｅｔ  Ｔｉｍｅｓｌｏｔ  Ｒｅｃｏｎｆｉｇｕｒｅメッセージに示される前記第１の通信条件を前記移動通信端末に設定するタイミングで、前記装置設定用メッセージに示される前記第２の通信条件を自身に前記移動通信端末の前記第１の通信条件の設定と同時に設定し、前記第２の通信条件に基づいて前記移動通信端末との通信を行う処理部（１２）と、前記第１の通信条件で動作する前記移動通信端末と前記第２の通信条件で動作する前記処理部との通信試験の合否を判定する判定部（１５）とを備え、前記実行部は、前記移動通信端末及び前記処理部に共通の通信条件に基づいて前記移動通信端末と前記処理部との間で通信が確立されている状態で、前記処理部に前記Ｐａｃｋｅｔ  Ｔｉｍｅｓｌｏｔ  Ｒｅｃｏｎｆｉｇｕｒｅメッセージ及び前記装置設定用メッセージを送信することを特徴とする。
【０００９】
また、請求項２に記載の移動通信端末試験装置は、請求項１に記載の移動通信端末試験装置であって、前記タイミングは、前記移動通信端末及び前記処理部に共通の通信条件に基づいて前記移動通信端末と前記処理部との間で通信が確立されている間の所定タイミングであることを特徴とする。
【００１０】
また、請求項３に記載の移動通信端末試験方法は、第１の通信条件及びその第１の通信条件を移動通信端末（３０）に設定するタイミングを示すＰａｃｋｅｔ  Ｔｉｍｅｓｌｏｔ  Ｒｅｃｏｎｆｉｇｕｒｅメッセージと、前記第１の通信条件と異なる第２の通信条件を示す装置設定用メッセージを実行部（１１）により生成する第１のステップと、前記移動通信端末に対して前記Ｐａｃｋｅｔ  Ｔｉｍｅｓｌｏｔ  Ｒｅｃｏｎｆｉｇｕｒｅメッセージを送信するとともに、前記Ｐａｃｋｅｔ  Ｔｉｍｅｓｌｏｔ  Ｒｅｃｏｎｆｉｇｕｒｅメッセージに示される前記第１の通信条件を前記移動通信端末に設定するタイミングで、前記装置設定用メッセージに示される前記第２の通信条件を処理部（１２）により自身に前記移動通信端末の前記第１の通信条件の設定と同時に設定し、前記第２の通信条件に基づいて前記移動通信端末との通信を行う第２のステップと、前記第１の通信条件で動作する前記移動通信端末と前記第２の通信条件で動作する前記処理部との通信試験の合否を判定部（１５）により判定する第３のステップとを有し、前記第１のステップと前記第２のステップとの間に、前記移動通信端末及び前記処理部に共通の通信条件に基づいて前記移動通信端末と前記処理部との間で通信が確立されている状態で、前記実行部から前記処理部に前記Ｐａｃｋｅｔ  Ｔｉｍｅｓｌｏｔ  Ｒｅｃｏｎｆｉｇｕｒｅメッセージ及び前記装置設定用メッセージを送信する第４のステップを有することを特徴とする。
【００１２】
また、請求項４に記載の移動通信端末試験方法は、請求項３に記載の移動通信端末試験方法であって、前記タイミングは、前記移動通信端末及び前記処理部に共通の通信条件に基づいて前記移動通信端末と前記処理部との間で通信が確立されている間の所定タイミングであることを特徴とする。
【発明の効果】
【００１３】
本発明に係る移動通信端末試験装置又は移動通信端末試験方法によれば、試験対象の移動通信端末に対して準正常系の通信試験を行うことができる。
【図面の簡単な説明】
【００１４】
【図１】本発明の実施の一形態に係る通信システムの概略構成を示すブロック図である。
【図２】本発明の実施の一形態に係る移動通信端末試験装置が行う準正常系の通信試験の流れを示すフローチャートである。
【図３】本発明の実施の一形態に係るＰａｃｋｅｔ  Ｔｉｍｅｓｌｏｔ  Ｒｅｃｏｎｆｉｇｕｒｅメッセージの各パラメータと、装置用ＰＨＹ設定及び装置用ＲＬＣ／ＭＡＣ設定の各パラメータとの関係を示す図である。
【図４】本発明の実施の一形態に係る装置用ＰＨＹ設定の各パラメータを説明する図である。
【図５】本発明の実施の一形態に係る装置用ＲＬＣ／ＭＡＣ設定の各パラメータを説明する図である。
【発明を実施するための形態】
【００１５】
本発明の実施の一形態について図面を参照して説明する。
【００１６】
（基本構成）
図１に示すように、本発明の実施の一形態に係る通信システム１は、移動通信端末試験装置１０と、サーバ２０と、移動通信端末３０とを備えている。移動通信端末試験装置１０は、移動通信端末３０を試験するため、疑似基地局として機能する。また、サーバ２０は、コンテンツなどのデータを管理し、要求に応じて送受信する。移動通信端末３０は、携帯電話機やモバイル機器などの試験対象となる端末である。なお、図１の例では、移動通信端末試験装置１０が移動通信端末３０を制御し、サーバ２０と移動通信端末３０との間の通信を確立する。
【００１７】
移動通信端末試験装置１０は、実行部１１と、処理部１２と、記憶部１３と、二つのタイミング管理部１４と、判定部１５とを具備している。なお、タイミング管理部１４の個数は特に限定されるものではない。
【００１８】
実行部１１は、試験シナリオ１１ａを記憶しており、要求に応じて試験シナリオ１１ａを読み込んで実行するシナリオ実行部として機能する。この実行部１１は、読み込んだ試験シナリオ１１ａを解析し、解析結果の手順（動作シーケンスや通信シーケンス）に従って処理部１２を制御する。このとき、実行部１１は、試験シナリオ１１ａに基づいたメッセージ情報を生成し、必要に応じて処理部１２に送信する。試験シナリオ１１ａは、試験に関する各種情報を含んでおり、例えば、移動通信端末試験装置１０と移動通信端末３０との間でやり取りされる様々な通信手順を定義している。
【００１９】
ここで、前述のメッセージ情報は、Ｐａｃｋｅｔ  Ｔｉｍｅｓｌｏｔ  Ｒｅｃｏｎｆｉｇｕｒｅメッセージ（第１のメッセージ）及び装置設定用メッセージ（第２のメッセージ）を含んでいる。Ｐａｃｋｅｔ  Ｔｉｍｅｓｌｏｔ  Ｒｅｃｏｎｆｉｇｕｒｅメッセージは、正常系の通信試験を行う場合、移動通信端末３０及び移動通信端末試験装置１０の設定に用いられ、準正常系の通信試験を行う場合、移動通信端末３０の設定だけに用いられる。このメッセージは、例えば周波数やタイムスロットなどの第１の通信条件及びその第１の通信条件を機器（移動通信端末３０や移動通信端末試験装置１０）に設定するタイミングを示す情報である。また、装置設定用メッセージは、移動通信端末試験装置１０独自のものであり、準正常系の通信試験を行う場合、移動通信端末試験装置１０の設定だけに用いられる。このメッセージは、前述の第１の通信条件と異なる第２の通信条件（例えば周波数やタイムスロットなど）を示す情報である。なお、装置設定用メッセージを第１の通信条件と同じ情報とすることで、正常系の通信試験と同等の試験を行うことも可能である。
【００２０】
処理部１２は、ＰＨＹ部（Physical Layer：物理層）１２ａ、ＲＬＣ／ＭＡＣ部（Radio Link Control Layer：無線リンク制御層／Medium Access Control Layer：媒体アクセス制御層）１２ｂ、ＧＲＲ部（ＧＰＲＳ（General Packet Radio Service） Radio Resource Layer：無線リソース管理層）１２ｃ、ＬＬＣ部（Logical Link Control Layer：論理リンク制御層）１２ｄ、ＳＮＤＣＰ部（SubNetwork Dependent Convergence Protocol Layer：ネットワーク統合プロトコル制御層）１２ｅ、ＴＥ部（Terminal Equipment Layer：ターミナルイクイプトメント層）１２ｆとを有している。この処理部１２は、所定の通信規格に対応して各レイア（層）の通信プロトコル処理を行うレイア処理部として機能する（詳しくは、後述する）。
【００２１】
記憶部１３は、ＧＲＲ部１２ｃに接続されており、実行部１１から受けたメッセージ情報を一時的に記憶する。また、記憶部１３は、実行部１１からのデータ通信の要求に応じ、通信前にＧＲＲ部１２ｃがサーバ２０から受信したパケットデータを一時的に記憶する。なお、図１の例では、記憶部１３がＧＲＲ部１２ｃと別構成とされているが、これに限るものではなく、ＧＲＲ部１２ｃ内に含まれていても良い。
【００２２】
タイミング管理部１４は、ＰＨＹ部１２ａ及びＲＬＣ／ＭＡＣ部１２ｂに一つずつ接続されており、タイミングを取るためのカウント機能を有している。これにより、タイミング管理部１４は、前述の装置設定用メッセージに基づきＰＨＹ部１２ａ又はＲＬＣ／ＭＡＣ部１２ｂの各パラメータを設定するときのタイミングを管理する。
【００２３】
判定部１５は、正常系の通信試験（通常の通信試験）と準正常系の通信試験において、移動通信端末３０に対する通信試験の合否を判定する。正常系の通信試験とは、通信条件（通信に係る設定内容）が移動通信端末試験装置１０と移動通信端末３０との間で同じである場合の通信試験（動作試験）である。一方、準正常系の通信試験とは、通信条件が移動通信端末試験装置１０と移動通信端末３０との間で異なる場合の通信試験である。例えば、準正常系試験は、通信条件が移動通信端末試験装置１０と移動通信端末３０との間で異なる場合に、その違いに対応する動作が正常に行われるか否かを確認する試験である。
【００２４】
（処理部）
次に、前述の処理部１２の各部１２ａ〜１２ｆについて詳しく説明する。なお、各部１２ａ〜１２ｆはそれぞれ層処理部として機能する。
【００２５】
ＰＨＹ部１２ａは、伝送路上のデータ表現形式及びインタフェース形状を規定する物理層を制御する物理層制御ブロックとして機能する。このＰＨＹ部１２ａでは、無線信号により試験対象の移動通信端末３０とパケットデータやメッセージ情報などの通信データのやり取りを行う。このＰＨＹ部１２ａは、通信データを符号化、変調、周波数変換してＲＦ信号を生成して移動通信端末３０に送信し、また、移動通信端末３０からのＲＦ信号を受信し、周波数変換、復調、復号して通信データを得る送受信部として機能する。
【００２６】
ＲＬＣ／ＭＡＣ部１２ｂは、移動通信端末３０などの通信相手まで確実にさらに効率良くデータを届けるため、例えば、データ分割や結合、再送制御、各通信チャネルの変換など、無線に関わるリンク制御を行う無線リンク／媒体アクセス制御ブロックとして機能する。
【００２７】
ＧＲＲ部１２ｃは、ＧＳＭ（登録商標）（Global System for Mobile communications）通信方式におけるデータ通信方式であるＧＰＲＳ方式用の無線リソース割当を行うＧＰＲＳ用無線リソース管理ブロックとして機能する。このＧＲＲ部１２ｃは、試験対象の移動通信端末３０又は実行部１１からのパケットデータ通信の要求があると、記憶部１３に記憶されたメッセージ情報に応じて通信を行うために無線リソース割当て処理を行う。
【００２８】
なお、ＧＲＲ部１２ｃは、メッセージ登録処理機能、受信メッセージ識別処理機能、メッセージ送信処理機能、パケット状態管理処理機能、パケットデータ保存処理機能を有している。メッセージ登録処理機能は、実行部１１から受けたメッセージ情報を記憶部１３に一時的に保存する。受信メッセージ識別処理機能は、受信したメッセージ情報を解析して識別する。メッセージ送信処理機能は、受信メッセージ識別処理機能によるメッセージ識別結果に応じてメッセージを送信する。パケット状態管理処理機能は、パケット状態の管理を行う。パケットデータ保存処理機能は、パケット通信開始前に受信したパケットデータを記憶部１３に一時的に保存する。
【００２９】
ＬＬＣ部１２ｄは、パケットデータ送受信時のパケット通信路を確立するためのリンク制御を行う論理リンク制御ブロックとして機能する。
【００３０】
ＳＮＤＣＰ部１２ｅは、パケットデータ通信に係るプロトコルの整合をネットワークと装置との間で制御するネットワーク統合プロトコル制御ブロックとして機能する。
【００３１】
ＴＥ部１２ｆは、例えば、サーバ２０などの外部接続機器とのインタフェースとして機能する。
【００３２】
なお、前述のような構成の移動通信端末試験装置１０は、ハードウェアのみで実現されても良いし、または、ハードウェア及びソフトウェアの両方で実現されても良い。後者の場合には、例えば、ＣＰＵ（Central Processing Unit）などのハードウェアと、記憶デバイスに記憶されたソフトウェアとの協働により、移動通信端末試験装置１０の各機能ブロックを実現することが可能である。
【００３３】
（準正常試験の流れ）
次に、前述の移動通信端末試験装置１０が行う通信試験処理、すなわち準正常系の通信試験の流れについて図２を参照して説明する。
【００３４】
図２に示すように、ステップＳ１において、準正常系の通信試験前、移動通信端末試験装置１０と移動通信端末３０との間で周波数が８００ｋＨｚであるデータ通信が確立されている。準正常系の通信前には、移動通信端末試験装置１０、すなわち処理部１２と移動通信端末３０との互いの周波数が同じであり、データ通信が可能な状態になっている。
【００３５】
ステップＳ２において、実行部１１は、試験シナリオ１１ａに基づくメッセージ情報をＧＲＲ部１２ｃに送信する。このメッセージ情報は、Ｐａｃｋｅｔ  Ｔｉｍｅｓｌｏｔ  Ｒｅｃｏｎｆｉｇｕｒｅメッセージ（第１のメッセージ）及び装置設定用メッセージ（第２のメッセージ）を含んでいる。
【００３６】
Ｐａｃｋｅｔ  Ｔｉｍｅｓｌｏｔ  Ｒｅｃｏｎｆｉｇｕｒｅメッセージは、ＲＬＣ／ＭＡＣ  Ｃｏｎｔｒｏｌメッセージの一つである。このＰａｃｋｅｔ  Ｔｉｍｅｓｌｏｔ  Ｒｅｃｏｎｆｉｇｕｒｅメッセージは、複数のパラメータを含んでおり、一例として、パラメータの一種類であるＡｂｓｏｌｕｔｅ  Ｆｒａｍｅ  Ｎｕｍｂｅｒ  Ｅｎｃｏｄｉｎｇで切り替えタイミングをＦｒａｍｅ  Ｎｕｍｂｅｒ（ＦＮ）＝１０００に設定し、パラメータの一種類であるＡＲＦＣＮにより周波数を９００ＭＨｚに設定するように定められている。この９００ＭＨｚの周波数はあくまでも一例であり、前述の８００ＭＨｚのままでも良い。また、装置設定用メッセージも、複数のパラメータを含んでおり、一例として、パラメータの一種類であるＦｒｅｑｕｅｎｃｙにより周波数を１０００ＭＨｚに設定するように定められている。なお、メッセージの各種のパラメータの説明については後述する。
【００３７】
ここで、通信試験が正常系の通信試験である場合には、メッセージ情報は、Ｐａｃｋｅｔ  Ｔｉｍｅｓｌｏｔ  Ｒｅｃｏｎｆｉｇｕｒｅメッセージのみを含んでいる。この場合、Ｐａｃｋｅｔ  Ｔｉｍｅｓｌｏｔ  Ｒｅｃｏｎｆｉｇｕｒｅメッセージは、移動通信端末３０の設定、ＰＨＹ部１２ａの設定及びＲＬＣ／ＭＡＣ部１２ｂの設定に用いられる。このため、正常系の通信試験では、メッセージに示される通信条件が移動通信端末試験装置１０及び移動通信端末３０で共通に用いられるため、移動通信端末試験装置１０と移動通信端末３０との間で通信条件は同じになる。
【００３８】
ステップＳ３において、ＧＲＲ部１２ｃは、実行部１１から送信されたメッセージ情報を受信し、その受信したメッセージ情報を解析して、Ｐａｃｋｅｔ  Ｔｉｍｅｓｌｏｔ  Ｒｅｃｏｎｆｉｇｕｒｅメッセージ及び装置設定用メッセージを分類する。このとき、装置設定用メッセージにおいては、ＰＨＹ部１２ａの設定用データとＲＬＣ／ＭＡＣ部１２ｂの設定用データも分類する。
【００３９】
ステップＳ４において、ＧＲＲ部１２ｃは、Ｐａｃｋｅｔ  Ｔｉｍｅｓｌｏｔ  Ｒｅｃｏｎｆｉｇｕｒｅメッセージ（例えば、周波数９００ＭＨｚ、切り替えＦＮ＝１０００）を、ＲＬＣ／ＭＡＣ部１２ｂ及びＰＨＹ部１２ａを介して、移動通信端末３０に送信する。このとき、ＧＲＲ部１２ｃは、Ｐａｃｋｅｔ  Ｔｉｍｅｓｌｏｔ  Ｒｅｃｏｎｆｉｇｕｒｅメッセージから切り替えタイミング（ＦＮ＝１０００）を取り出して把握する。
【００４０】
ステップＳ５において、ＧＲＲ部１２ｃは、把握した切り替えタイミング（ＦＮ＝１０００）と一緒に、ＲＬＣ／ＭＡＣ部１２ｂの設定用データをＲＬＣ／ＭＡＣ部１２ｂに送信する。
【００４１】
ステップＳ６において、ＧＲＲ部１２ｃは、把握した切り替えタイミング（ＦＮ＝１０００）と一緒に、ＰＨＹ部１２ａの設定用データ（例えば、周波数１０００ＭＨｚ）を、ＲＬＣ／ＭＡＣ部１２ｂを介してＰＨＹ部１２ａに送信する。
【００４２】
ステップＳ７において、ＲＬＣ／ＭＡＣ部１２ｂは、タイミング管理部１４によるカウント数が１０００（ＦＮ＝１０００）になったか否かを判断し、カウント数が１０００になった場合に切り替えタイミングの到来を検出する。
【００４３】
ステップＳ８において、ＲＬＣ／ＭＡＣ部１２ｂは、切り替えタイミングの到来に応じ、ＲＬＣ／ＭＡＣ部１２ｂの設定用データに基づき、ＲＬＣ／ＭＡＣ部１２ｂに関する装置パラメータを変更して設定する。これにより、装置設定用メッセージに基づいたＲＬＣ／ＭＡＣ部１２ｂの設定用データが装置パラメータに反映される。
【００４４】
同様に、ステップＳ９において、ＰＨＹ部１２ａは、タイミング管理部１４によるカウント数が１０００（ＦＮ＝１０００）になったか否かを判断し、カウント数が１０００になった場合に切り替えタイミングの到来を検出する。
【００４５】
ステップＳ１０において、ＰＨＹ部１２ａは、切り替えタイミングの到来に応じて、ＰＨＹ部１２ａの設定用データに基づき、ＰＨＹ部１２ａに関する装置パラメータを変更し、例えば周波数を１０００ＭＨｚに設定する。これにより、装置設定用メッセージに基づいたＰＨＹ部１２ａの設定用データが装置パラメータに反映される。
【００４６】
同様に、ステップＳ１１において、移動通信端末３０は、タイミング管理処理によるカウント数が１０００（ＦＮ＝１０００）になったか否かを判断し、カウント数が１０００になった場合に切り替えタイミングの到来を検出する。
【００４７】
ステップＳ１２において、移動通信端末３０は、切り替えタイミングの到来に応じて、Ｐａｃｋｅｔ  Ｔｉｍｅｓｌｏｔ  Ｒｅｃｏｎｆｉｇｕｒｅメッセージの設定用データに基づき、移動通信端末３０に関する端末パラメータを変更し、例えば周波数を９００ＭＨｚに設定する。これにより、Ｐａｃｋｅｔ  Ｔｉｍｅｓｌｏｔ  Ｒｅｃｏｎｆｉｇｕｒｅメッセージに基づいた設定用データが端末パラメータに反映される。
【００４８】
このように、ＲＬＣ／ＭＡＣ部１２ｂに関する装置パラメータの設定、ＰＨＹ部１２ａに関する装置パラメータの設定、及び、移動通信端末３０に関する端末パラメータの設定は同じタイミングで行われ、同期することになる。なお、前述の切り替えタイミングは、移動通信端末試験装置１０及び移動通信端末３０の通信中、すなわち処理部１２及び移動通信端末３０の互いの通信が確立されている間の所定タイミングである。
【００４９】
最後に、ステップＳ１３において、判定部１５は、ＰＨＹ部１２ａが切り替えタイミングから所定時間内に移動通信端末３０から信号を受信するか否かを判断し、通信の切断の有無を検出することによって準正常系の通信試験の合否を判定する。
【００５０】
判定部１５は、ＰＨＹ部１２ａが切り替えタイミングから所定時間内に移動通信端末３０から信号を受信しなかったと判断した場合、通信が切断されたことを検出し、通信試験の合格を判定する。一方、ＰＨＹ部１２ａが切り替えタイミングから所定時間内に移動通信端末３０から信号を受信したと判断した場合には、通信が切断されていないことを検出し、通信試験の不合格を判定する。この準正常系の通信試験の一例では、通信が切断されれば、通信試験は合格であり、通信が切断されなければ、不合格である。移動通信端末試験装置１０及び移動通信端末３０の互いの通信周波数が異なると、データ通信が不可能な状態になるため、通信が途切れることが正常の動作となる。
【００５１】
このような準正常系の通信試験処理によれば、移動通信端末試験装置１０と移動通信端末３０との通信中、すなわち互いの通信が確立されている状態において、移動通信端末試験装置１０と移動通信端末３０との間で、通信条件を同時に設定して不一致にすることが可能となる。これにより、通信条件が移動通信端末試験装置１０と移動通信端末３０との間で異なる場合、その違いに対応する動作が正常に行われるか否かを確認する準正常系の通信試験を行うことができる。
【００５２】
（メッセージの各パラメータと装置用設定の各パラメータとの関係）
次に、Ｐａｃｋｅｔ  Ｔｉｍｅｓｌｏｔ  Ｒｅｃｏｎｆｉｇｕｒｅメッセージの各パラメータ（端末パラメータ）と、装置用ＰＨＹ設定及び装置用ＲＬＣ／ＭＡＣ設定の各パラメータ（装置パラメータ）との関係について図３から図５を参照して説明する。
【００５３】
図３には、Ｐａｃｋｅｔ  Ｔｉｍｅｓｌｏｔ  Ｒｅｃｏｎｆｉｇｕｒｅメッセージの各パラメータと、装置用ＰＨＹ設定及び装置用ＲＬＣ／ＭＡＣ設定の各パラメータとの関係が示されている。また、図４には、装置用ＰＨＹ設定の各パラメータの説明が示されており、図５には、装置用ＲＬＣ／ＭＡＣ設定の各パラメータの説明が示されている。
【００５４】
図３では、斜線により塗りつぶされている第１の部分及びドットにより塗りつぶされている第２の部分は、Ｐａｃｋｅｔ  Ｔｉｍｅｓｌｏｔ  Ｒｅｃｏｎｆｉｇｕｒｅメッセージの各パラメータと、装置用ＰＨＹ設定及び装置用ＲＬＣ／ＭＡＣ設定の各パラメータにおいて、関連性を有するパラメータを示す。第１の部分は周波数などに関連するパラメータを示し、第２の部分は装置用ＰＨＹ設定と装置用ＲＬＣ／ＭＡＣ設定の両方に関連するＴｉｍｅｓｌｏｔ関連パラメータを示す。一方、塗りつぶされていない部分は、関連性を有さないパラメータを示す。
【００５５】
また、図３中の黒丸は、Ｐａｃｋｅｔ  Ｔｉｍｅｓｌｏｔ  Ｒｅｃｏｎｆｉｇｕｒｅメッセージの各パラメータと、装置用ＰＨＹ設定及び装置用ＲＬＣ／ＭＡＣ設定の各パラメータにおいて、不一致にする（準正常系の通信試験を行う）ことができるパラメータを示す。例えば、Ｐａｃｋｅｔ  Ｔｉｍｅｓｌｏｔ  Ｒｅｃｏｎｆｉｇｕｒｅメッセージの「ＤＯＷＮＬＩＮＫ＿ＴＩＭＥＳＬＯＴ＿ＡＬＬＯＣＡＴＩＯＮ」の欄を確認すると、装置用ＰＨＹ設定の「Ｔｉｍｅｓｌｏｔ」及び装置用ＲＬＣ／ＭＡＣ設定の「ＳＬＯＴ＿ＶＡＬＵＥ」に黒丸があるため、「ＤＯＷＮＬＩＮＫ＿ＴＩＭＥＳＬＯＴ＿ＡＬＬＯＣＡＴＩＯＮ」と、「Ｔｉｍｅｓｌｏｔ」及び「ＳＬＯＴ＿ＶＡＬＵＥ」との各数値を不一致にすることができる。このようなパラメータを用いて、移動通信端末試験装置１０と移動通信端末３０との間で、通信条件を不一致にすることができる。
【００５６】
（切り替えタイミングの設定方法）
次いで、前述の切り替えタイミングの設定方法について説明する。（１）切り替えタイミングの設定方法が指定されていない場合、（２）切り替えタイミングの設定方法が相対値による設定方法に指定されている場合、（３）切り替えタイミングの設定方法が絶対値による設定方法に指定されている場合、切り替えタイミングは以下のようになる。
【００５７】
（１）切り替えタイミングの設定方法が指定されない場合、切り替えタイミングは、Ｐａｃｋｅｔ  Ｔｉｍｅｓｌｏｔ  Ｒｅｃｏｎｆｉｇｕｒｅメッセージが送信されるタイミングから、規格で決められた時間が経過後に設定を切り替えるタイミングである。
【００５８】
（２）切り替えタイミングの設定方法が相対値による設定方法に指定されている場合、切り替えタイミングは、Ｐａｃｋｅｔ  Ｔｉｍｅｓｌｏｔ  Ｒｅｃｏｎｆｉｇｕｒｅメッセージが送信されるタイミングから、Ｐａｃｋｅｔ  Ｔｉｍｅｓｌｏｔ  Ｒｅｃｏｎｆｉｇｕｒｅメッセージ内のＲｅｌａｔｉｖｅ  Ｆｒａｍｅ  Ｎｕｍｂｅｒ  Ｅｎｃｏｄｉｎｇ（図３参照）で設定された時間が経過後に設定を切り替えるタイミングである。
【００５９】
（３）切り替えタイミングの設定方法が絶対値による設定方法に指定されている場合、切り替えタイミングは、Ｐａｃｋｅｔ  Ｔｉｍｅｓｌｏｔ  Ｒｅｃｏｎｆｉｇｕｒｅメッセージ内のＡｂｓｏｌｕｔｅ  Ｆｒａｍｅ  Ｎｕｍｂｅｒ  Ｅｎｃｏｄｉｎｇ（図３参照）で設定された時間で設定を切り替えるタイミングである。
【００６０】
なお、移動通信端末試験装置１０の内部のタイミング管理は絶対値で行われているため、前述の（１）、（２）の場合には、メッセージ送信タイミングから切り替えタイミングの絶対値を計算する。一方、前述の（３）の場合には、絶対値をそのまま利用することができる。
【００６１】
以上説明したように、本実施形態によれば、第１の通信条件及びその第１の通信条件を移動通信端末３０に設定するタイミングを示す第１のメッセージ（Ｐａｃｋｅｔ  Ｔｉｍｅｓｌｏｔ  Ｒｅｃｏｎｆｉｇｕｒｅメッセージ）と、第１の通信条件と異なる第２の通信条件を示す第２のメッセージ（装置設定用メッセージ）が実行部１１により生成される。そして、移動通信端末３０に対して第１のメッセージが送信されるとともに、その第１のメッセージに示されるタイミングで、第２のメッセージに示される第２の通信条件が処理部１２により自身に設定され、その第２の通信条件に基づいて移動通信端末３０との通信が行われる。第１の通信条件で動作する移動通信端末３０と第２の通信条件で動作する処理部１２との通信試験の合否が判定部１５により判定される。このようにして、移動通信端末試験装置１０と移動通信端末３０との間で、通信条件を同時に設定して不一致にすることが可能となるので、通信条件が移動通信端末試験装置１０と移動通信端末３０との間で異なる場合に、その違いに対応する動作が正常に行われるか否かを確認する準正常系の通信試験を行うことができる。
【００６２】
なお、本発明は、前述の実施形態に限るものではなく、その要旨を逸脱しない範囲において種々変更可能である。例えば、前述の実施形態に示される全構成要素から幾つかの構成要素を削除しても良い。さらに、異なる実施形態に亘る構成要素を適宜組み合わせても良い。
【符号の説明】
【００６３】
１      通信システム
１０    移動通信端末試験装置
１１    実行部
１１ａ  試験シナリオ
１２    処理部
１２ａ  ＰＨＹ部
１２ｂ  ＲＬＣ／ＭＡＣ部
１２ｃ  ＧＲＲ部
１２ｄ  ＬＬＣ部
１２ｅ  ＳＮＤＣＰ部
１２ｆ  ＴＥ部
１３    記憶部
１４    タイミング管理部
１５    判定部
２０    サーバ
３０    移動通信端末
【図１】
0006307534.tif 000002
【図２】
0006307534.tif 000003
【図３】
0006307534.tif 000004
【図４】
0006307534.tif 000005
【図５】
0006307534.tif 000006